(57)【要約】      （修正有）【課題】按摩及び美容の機能を同時に有し、視覚上も魅力的な回転式噴霧補水器を提供する。【解決手段】第１の連接平面壁１１と、第１の連接平面壁と連接する第１の曲面１２と、噴霧口１３と、を有し、第１の連接平面壁は、第１の連接平面壁の中心に位置する第１の組合せ連接穴１１１を有し、半ハート形を呈する第１の組合せケース１０と、第１の連接平面壁に対応する第２の連接平面壁２１と、第２の連接平面壁と連接する第２の曲面２２と、を有する。第２の連接平面壁は第２の連接平面壁の中心に位置する第２の組合せ連接穴２１１を有し、半ハート形を呈する第２の組合せケース２０と、互いに枢着している、第１の固定部３１と、第２の固定部３２と、を有し、第１の固定部が第１の組合せ連接穴に固定され、第２の固定部が第２の組合せ連接穴に固定される回転組合せ具３０と、第１の組合せケース内に設けられる噴霧ユニットと、を含む。【選択図】図１
0003177155.tif 000002
【実用新案登録請求の範囲】
【請求項１】
第１の連接平面壁（１１）と、前記第１の連接平面壁（１１）と連接する第１の曲面（１２）と、噴霧口（１３）と、を有し、前記第１の連接平面壁（１１）は、前記第１の連接平面壁（１１）の中心に位置する第１の組合せ連接穴（１１１）を有し、半ハート形を呈する第１の組合せケース（１０）と、
前記第１の連接平面壁（１１）に対応する第２の連接平面壁（２１）と、前記第２の連接平面壁（２１）と連接する第２の曲面（２２）と、を有し、前記第２の連接平面壁（２１）は前記第２の連接平面壁（２１）の中心に位置する第２の組合せ連接穴（２１１）を有し、前記第１の組合せケース（１０）に対応し、半ハート形を呈する第２の組合せケース（２０）と、
互いに枢着している、第１の固定部（３１）と、第２の固定部（３２）と、を有し、前記第１の固定部（３１）が前記第１の組合せ連接穴（１１１）に固定され、前記第２の固定部（３２）が前記第２の組合せ連接穴（２１１）に固定される回転組合せ具（３０）と、
前記第１の組合せケース（１０）内に設けられ、前記噴霧口（１３）により噴霧可能である噴霧ユニット（４０）と、
を含み、
前記第１の組合せケース（１０）と、前記第２の組合せケース（２０）とは、前記回転組合せ具（３０）に合せることにより、ハート形を呈する第１の位置と、長形を呈する第２の位置と、を有することを特徴とする回転式噴霧補水器。
【請求項２】
電力供給ユニット（５０）と電気的に接続する、超音波美容ユニット（５１）と、パルス按摩ユニット（５２）と、発光ダイオード光施療美容ユニット（５３）と、モータ振動按摩ユニット（５４）と、を有し、前記電力供給ユニット（５０）は前記第２の組合せケース（２０）内に設けられ、前記回転組合せ具（３０）は、前記第１の組合せケース（１０）及び前記第２の組合せケース（２０）と連通する収容用貫通孔（３３）を有することを特徴とする、請求項１に記載の回転式噴霧補水器。
【請求項３】
貯水ユニット（４１）は、前記第１の組合せケース（１０）内に設けられ、前記噴霧ユニット（４０）と連接することを特徴とする、請求項１に記載の回転式噴霧補水器。
【考案の詳細な説明】
【技術分野】
【０００１】
本考案は、噴霧補水器に関し、特に、按摩及び美容の機能を同時に有し、視覚上も魅力的な回転式噴霧補水器に関するものである。
【背景技術】
【０００２】
近年、健康への関心が盛んとなり、若々しさを保持するための各種類の用品が開発されている。特に肌の若々しさを保持する要点は保水にある。皮膚における水分を有効に保持できれば、若々しさを保持するという目的を達成できる。そして保水の目的を達成するために、化粧品類を使用する他、噴霧補水器を利用することもできる。噴霧補水器の原理は超音波振動片により、水又は液体である美容液をナノメートルクラスの粒に霧化して、ユーザの顔、又はその他の部位に向かってこの粒を噴霧して補水する。これにより、乾燥した皮膚を活性化できる。噴霧補水器は、体積が小さいため携帯性が良く、そして操作が極めて簡単である。しかし従来の噴霧補水器は、形状が一定であり、皮膚に補水する以外の用途に利用することができないという欠点があった。
【考案の概要】
【考案が解決しようとする課題】
【０００３】
本考案の主な目的は、形状を変化できるようにすることにより、視覚上も魅力的で按摩及び美容の機能を同時に有する回転式噴霧補水器を提供することにある。
【課題を解決するための手段】
【０００４】
本考案の回転式噴霧補水器によると、第１の連接平面壁１１と、第１の連接平面壁１１と連接する第１の曲面１２と、噴霧口１３と、を有し、第１の連接平面壁１１は、第１の連接平面壁１１の中心に位置する第１の組合せ連接穴１１１を有し、半ハート形を呈する第１の組合せケース１０と、第１の連接平面壁１１に対応する第２の連接平面壁２１と、第２の連接平面壁２１と連接する第２の曲面２２と、を有し、第２の連接平面壁２１は第２の連接平面壁２１の中心に位置する第２の組合せ連接穴２１１を有し、第１の組合せケース１０に対応し、半ハート形を呈する第２の組合せケース２０と、互いに枢着している、第１の固定部３１と、第２の固定部３２と、を有し、第１の固定部３１が第１の組合せ連接穴１１１に固定され、第２の固定部３２が第２の組合せ連接穴２１１に固定される回転組合せ具３０と、第１の組合せケース１０内に設けられ、噴霧口１３により噴霧可能である噴霧ユニット４０と、を含み、第１の組合せケース１０と、第２の組合せケース２０とは、回転組合せ具３０に合せることにより、ハート形を呈する第１の位置と、長形を呈する第２の位置と、を有することを特徴とする。
【０００５】
本考案の回転式噴霧補水器によると、更に、電力供給ユニット５０と電気的に接続する、超音波美容ユニット５１と、パルス按摩ユニット５２と、発光ダイオード光施療美容ユニット５３と、モータ振動按摩ユニット５４と、を有し、電力供給ユニット５０は第２の組合せケース２０内に設けられ、回転組合せ具３０は、第１の組合せケース１０及び第２の組合せケース２０と連通する収容用貫通孔３３を有することを特徴とする。
【０００６】
本考案の回転式噴霧補水器によると、貯水ユニット４１は、第１の組合せケース１０内に設けられ、噴霧ユニット４０と連接することを特徴とする。
【考案の効果】
【０００７】
本考案の回転式噴霧補水器によれば、次のような効果がある。
（１）第１の組合せケースと第２の組合せケースとを、回転組合せ具に合せることにより第１の位置に旋回したとき、全体がハート形を呈する。そして、第２の位置に旋回したとき全体が長形を呈する。外形が多様に変化するため、視覚上魅力的である。
（２）超音波美容ユニット、パルス按摩ユニット、発光ダイオード光施療美容ユニット及びモータ振動按摩ユニットにより、按摩及び美容の機能を同時に有する。
【図面の簡単な説明】
【０００８】
【図１】本考案の一実施例を示す分解斜視図である。
【図２】本考案の一実施例のユニットの配置を示す模式図である。
【図３Ａ】本考案の一実施例の旋回による変形を示す模式図である。
【図３Ｂ】本考案の一実施例の旋回による変形を示す模式図である。
【図３Ｃ】本考案の一実施例の旋回による変形を示す模式図である。
【図３Ｄ】本考案の一実施例の旋回による変形を示す模式図である。
【図３Ｅ】本考案の一実施例の旋回による変形を示す模式図である。
【考案を実施するための形態】
【０００９】
以下、本考案の実施の形態を図面に基づいて説明する。
まず、図１及び図２を参照する。図１は本考案の一実施例を示す分解斜視図であり、図２は本考案の一実施例のユニットの配置を示す模式図である。本考案の一実施例の回転式噴霧補水器は、半ハート形を呈する第１の組合せケース１０と、第１の組合せケース１０に対応し、対称の半ハート形を呈する第２の組合せケース２０と、回転組合せ具３０と、噴霧ユニット４０と、を含む。第１の組合せケース１０は、第１の連接平面壁１１と、第１の連接平面壁１１と連接する第１の曲面１２と、噴霧口１３と、を有する。第１の連接平面壁１１は、第１の連接平面壁１１の中心に位置する第１の組合せ連接穴１１１を有する。第２の組合せケース２０は、第１の連接平面壁１１に対応する第２の連接平面壁２１と、第２の連接平面壁２１と連接する第２の曲面２２と、を有する。第２の連接平面壁２１は、第２の連接平面壁２１の中心に位置する第２の組合せ連接穴２１１を有する。回転組合せ具３０は、互いに枢着している第１の固定部３１と、第２の固定部３２と、を有する。第１の固定部３１は第１の組合せ連接穴１１１に固定され、第２の固定部３２は第２の組合せ連接穴２１１に固定される。噴霧ユニット４０は、第１の組合せケース１０内に設けられ、噴霧口１３により噴霧可能である。このように、第１の組合せケース１０と、第２の組合せケース２０とは、回転組合せ具３０に合せることにより、ハート形を呈する第１の位置と、長形を呈する第２の位置と、を有する
【００１０】
また、本考案の一実施例の回転式噴霧補水器は、更に、電力供給ユニット５０と、電力供給ユニット５０と電気的に接続する、超音波美容ユニット５１と、パルス按摩ユニット５２と、発光ダイオード光施療美容ユニット５３と、モータ振動按摩ユニット５４と、を有する。電力供給ユニット５０は第２の組合せケース２０内に設けられる。回転組合せ具３０は、第１の組合せケース１０及び第２の組合せケース２０と連通する収容用貫通孔３３を有する。電力供給ユニット５０は、電気コード、又はその他の電気伝導性を有するものにより、収容用貫通孔３３を介して噴霧ユニット４０と電気的に接続する。また、貯水ユニット４１は、第１の組合せケース１０内に設けられ、噴霧ユニット４０と連接する。貯水ユニット４１により、水が噴霧ユニット４０に供給されて噴出する。
【００１１】
図３Ａ乃至図３Ｅを参照する。図３Ａ乃至図３Ｅは本考案の一実施例の旋回による変形を示す模式図である。図３Ａに示すように、第１の組合せケース１０と第２の組合せケース２０とは第２の位置に位置し全体が長形を呈する。その両側がそれぞれ円弧端１４と円弧端２３とである。次に、図３Ｂ乃至図３Ｄに示すように、第１の組合せケース１０と第２の組合せケース２０とを相対的に回転させたとき、図３Ｅに示すように、第１の組合せケース１０と第２の組合せケース２０とは第１の位置に位置する。すなわち、円弧端１４と円弧端２３とが同じ側に位置し、全体がハート形を呈する。
【００１２】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１３】
本考案は、噴霧補水器に適用することができる。
【符号の説明】
【００１４】
１０    第１の組合せケース
１１    第１の連接用平面壁
１２    第１の曲面
１３    噴霧口
１４    円弧端
２０    第２の組合せケース
２１    第２の連接用平面壁
２２    第２の曲面
２３    円弧端
３０    回転組合せ具
３１    第１の固定部
３２    第２の固定部
３３    収容用貫通孔
４０    噴霧ユニット
４１    貯水ユニット
５０    電力供給ユニット
５１    超音波美容ユニット
５２    パルス按摩ユニット
５３    発光ダイオード光施療美容ユニット
５４    モータ振動按摩ユニット
１１１  第１の組合せ連接穴
２１１  第２の組合せ連接穴
【図１】
0003177155.tif 000003
【図２】
0003177155.tif 000004
【図３Ａ】
0003177155.tif 000005
【図３Ｂ】
0003177155.tif 000006
【図３Ｃ】
0003177155.tif 000007
【図３Ｄ】
0003177155.tif 000008
【図３Ｅ】
0003177155.tif 000009